(57)【特許請求の範囲】
【請求項１】
洗浄用ノズルより洗浄水を噴出して人体局部を洗浄する衛生洗浄装置において、
外部より供給された水を貯留する貯湯タンクを備え、該貯湯タンクは、別々に成形された複数の分割ケースを組み合わせて成り、
前記各分割ケースを互いに接合させる各開口端縁の少なくとも一方に、関連部品から延びる配線ないし配管を単独または束ねた状態で掛け止め可能な掛止手段を設け、該掛止手段は、前記各分割ケースを互いに接合させる各開口端縁に、それぞれ対向する状態に突設されたフックから成ることを特徴とする衛生洗浄装置。
【請求項２】
洗浄用ノズルより洗浄水を噴出して人体局部を洗浄する衛生洗浄装置において、
外部より供給された水を貯留する貯湯タンクを備え、該貯湯タンクは、別々に成形された複数の分割ケースを組み合わせて成り、
前記各分割ケースを互いに接合させる各開口端縁の少なくとも一方に、関連部品から延びる配線ないし配管を単独または束ねた状態で掛け止め可能な掛止手段を設け、該掛止手段は、前記各分割ケースを互いに接合させる各開口端縁の何れか一方に沿って突設された押さえ片から成ることを特徴とする衛生洗浄装置。
【請求項３】
前記貯湯タンクは、前記各分割ケースとして下部ケースと上部ケースとを組み合わせて成り、
前記下部ケースと前記上部ケースとを互いに接合させる各開口端縁に沿って、貯湯タンクの横方向に並ぶように前記掛止手段が設けられたことを特徴とする請求項１または２記載の衛生洗浄装置。
【発明の詳細な説明】
【０００１】
【発明の属する技術分野】
本発明は、洗浄用ノズルより洗浄水を噴出して人体局部を洗浄する衛生洗浄装置に関する。
【０００２】
【従来の技術】
従来、この種の衛生洗浄装置としては、例えば、図２８〜図３０に示すような熱交換ユニットを装備したものが知られている。かかる熱交換ユニットは、所定容量を持つ貯湯タンク１を主要部として成り、貯湯タンク１は、上面側が開口したタンク本体２に上蓋３を取り付け、上蓋３に各種関連部品を組み付けて構成されている。
【０００３】
貯湯タンク１にはヒータ４が内蔵されており、外部より供給された水は、ヒータ４によって加熱され所望温度の温水として貯留される。使用時には貯湯タンク１内の温水を、そのまま洗浄用ノズル（図示せず）より噴出させて利用するようになっている。
【０００４】
【発明が解決しようとする課題】
しかしながら、前述したような従来の衛生洗浄装置に関しては、本出願人らの最近の新製品開発に伴う調査研究により、以下のような改良すべき点が見出された。すなわち、上蓋３やタンク本体２の外壁には、各種関連部品が組み付けられているが、これらの部品から延びる多数のハーネス類５をばらけないようまとめる配線処理が面倒で煩わしく、時間がかかるという問題があった。
【０００５】
ここでハーネス類５を束ねるためのフックを別部品として用意して、貯湯タンク１の外壁に後付けすれば、コストアップの要因になり、また上蓋３やタンク本体２は金型により一体成形される樹脂成型品であるため、金型からの型抜き上の問題により、貯湯タンク１の外壁にかぎ状のフックを設けることは困難と考えられていた。
【０００６】
更にまた、貯湯タンク１の周囲には、前記ハーネス類５のみならず、水や温水を通すチューブ等の配管も多数存在するが、これらの配管処理も前記配線処理と同様に面倒で煩わしく、特にチューブ等を貯湯タンク１の外壁に沿わすように配置させる場合には、やはり別部品としてのフック等が必要となり、なおさらコストアップの要因になるという問題があった。
【０００７】
本発明は、以上のような従来技術が有する問題点に着目してなされたものであり、コストアップを招くことなく、貯湯タンク周辺の各種配線ないし配管を最適な状態に容易にまとめることが可能な衛生洗浄装置を提供することを目的としている。
【０００９】
【課題を解決するための手段】
前述した目的を達成するための本発明の要旨とするところは、次の各項の発明に存する。  
［１］洗浄用ノズル（１２）より洗浄水を噴出して人体局部を洗浄する衛生洗浄装置（１０）において、
外部より供給された水を貯留する貯湯タンク（２１）を備え、該貯湯タンク（２１）は、別々に成形された複数の分割ケースを組み合わせて成り、
前記各分割ケースを互いに接合させる各開口端縁の少なくとも一方に、関連部品から延びる配線ないし配管を単独または束ねた状態で掛け止め可能な掛止手段を設け、該掛止手段は、前記各分割ケースを互いに接合させる各開口端縁に、それぞれ対向する状態に突設されたフック（２１５，２１６）から成ることを特徴とする衛生洗浄装置（１０）。
【００１０】
［２］洗浄用ノズル（１２）より洗浄水を噴出して人体局部を洗浄する衛生洗浄装置（１０）において、
外部より供給された水を貯留する貯湯タンク（２１）を備え、該貯湯タンク（２１）は、別々に成形された複数の分割ケースを組み合わせて成り、
前記各分割ケースを互いに接合させる各開口端縁の少なくとも一方に、関連部品から延びる配線ないし配管を単独または束ねた状態で掛け止め可能な掛止手段を設け、該掛止手段は、前記各分割ケースを互いに接合させる各開口端縁の何れか一方に沿って突設された押さえ片（２１７）から成ることを特徴とする衛生洗浄装置（１０）。
【００１１】
［３］前記貯湯タンク（２１）は、前記各分割ケースとして下部ケース（２１ａ）と上部ケース（２１ｂ）とを組み合わせて成り、
前記下部ケース（２１ａ）と前記上部ケース（２１ｂ）とを互いに接合させる各開口端縁に沿って、貯湯タンク（２１）の横方向に並ぶように前記掛止手段が設けられたことを特徴とする［１］または［２］記載の衛生洗浄装置（１０）。
【００１３】
次に前述した解決手段に基づく作用を説明する。
本発明に係る衛生洗浄装置（１０）によれば、貯湯タンク（２１）を別々に成形された複数の分割ケースを組み合わせて形成した上で、各分割ケースを互いに接合させる各開口端縁の少なくとも一方に、関連部品から延びる配線ないし配管を掛け止め可能な掛止手段を設けたから、容易かつ迅速に配線ないし配管を嵩張らないように配置させることができる。
【００１４】
ここで掛止手段としては、様々な形状のものが考えられるが、掛止手段は各分割ケースの各開口端縁に設ける関係上、分割ケースを金型により一体成形する場合であっても、金型の端面付近で容易に型抜きできるように設計することが可能となる。
【００１５】
前記関連部品とは、貯湯タンク（２１）と共に熱交換ユニットを構成する熱交換部品が該当するが、必ずしも貯湯タンク（２１）の内外に組み付ける部品に限定されるものではなく、貯湯タンク（２１）の周囲に配置される部品であってもかまわない。
【００１６】
前記掛止手段に掛け止めるものは各種ハーネス等の配線に限らず、水ないし温水を通すチューブ（３４，３４ａ）等の配管でも良く、更にこれらは単独で前記掛止手段に掛け止めても良く、あるいは複数束ねた状態で掛け止めるようにしても良い。
【００１７】
具体的には例えば、前記掛止手段は、各分割ケースを互いに接合させる各開口端縁にそれぞれ対向する状態に突設したフック（２１５，２１６）から構成すると良い。ここで対向する状態とは、上下に重なるように向き合うばかりでなく、所定間隔をおいて互い違いに対向するような場合も含まれる。
【００１８】
あるいはまた、前記掛止手段を、各分割ケースを互いに接合させる各開口端縁の何れか一方に沿って突設された押さえ片（２１７）とすれば、更に構成が簡易化されて容易に成形することができる。
【００１９】
また、前記貯湯タンク（２１）を、各分割ケースとして下部ケース（２１ａ）と上部ケース（２１ｂ）とを組み合わせるように構成し、下部ケース（２１ａ）と上部ケース（２１ｂ）とを互いに接合させる各開口端縁に沿って、貯湯タンク（２１）の横方向に並ぶように前記掛止手段を設けるとよい。かかる場合、もともと各ケースの接合部分には関連部品を配設する可能性に乏しいので、各種の配線や配管を他の部品と干渉しない最適な状態に動かぬように配置させることができる。
【００２１】
【発明の実施の形態】
以下、図面に基づき本発明を代表する一実施の形態を説明する。
図１〜図２７は本発明の一実施の形態を示している。
本実施の形態に係る衛生洗浄装置１０は、図示省略したが便器本体の便座後方にベースプレートを介して設置され、外部から供給された低温水を温めて湯水として貯留し、その温水を洗浄用ノズル１２より人体局部に噴射させて使用するものである。
【００２２】
図１及び図２に示すように、衛生洗浄装置１０は外装を成すケースカバー１１（図中では底面側の一部のみ示す。）を備えている。ケースカバー１１内には、洗浄用ノズル１２を略中心にして、その片側に貯湯タンク２１を主要部とする熱交換ユニット２０が収納され、もう片側には温風ユニット１３、脱臭ユニット１４、バルブユニット１５、それにコントローラ１００、その他関連機器がコンパクトに収納されている。
【００２３】
洗浄用ノズル１２は、専用の駆動機構によって、待機位置とお尻用ないしビデ用の２つの洗浄位置とに前方へ向かって出没可能に支持されている。また温風ユニット１３は、暖気ダクトを一体的に形成したケース内に加熱器及び送風器等を組み込んで成る。また脱臭ユニット１４は、所定方向に排気するための送風器や脱臭器等から成る。
【００２４】
またバルブユニット１５は、後述する給水部２２より貯湯タンク２１内に供給される水の圧力を調整するための主電磁弁１１１等の各種バルブから成る。またコントローラ１００は、マイコンのＣＰＵを中心にして構成されており、各水量や各温度等を所定のプログラムに従って制御するものである。なお、ケースカバー１１の更に一端側には、操作用の各種スイッチが搭載されたコントロールパネルから成る主操作部１０１や補助操作部１０２も一体に配設されている。
【００２５】
図３に示すように、水道水供給路１１０には上流側から順に、逆流防止用の逆止弁１１０ａ、異物除去用のストレーナ１１０ｂ、給水圧を減圧して一定に保つ減圧弁１１０ｃ、それに主電磁弁１１１が設けられている。主電磁弁１１１の手前で水道水供給路１１０より分岐するバイパス路１１２には、直動型電磁弁１１２ａとバキュームブレーカー１１２ｂが設けられている。
【００２６】
バイパス路１１２は、洗浄用ノズル１２へその胴体洗浄用の水を供給するためのものである。また、直動型電磁弁１１２ａとバキュームブレーカー１１２ｂとの間のバイパス路１１２途中と、前記主電磁弁１１１とは、パイロット流路１１３を介して互いに連通接続されている。
【００２７】
水道水供給路１１０における主電磁弁１１１より下流側には、下流側の圧力上昇を抑えるリリーフ弁１１４、本発明の根幹を成す熱交換ユニット２０、安全装置としての真空破壊弁１１５、流量を調整する流調弁１１６、それに洗浄用ノズル１２における流路を切り替えるための切替弁１１７が順に設けられている。
【００２８】
本発明の根幹を成す熱交換ユニット２０は、貯湯タンク２１の内外に熱交換系の関連部品を組み付けて構成される。図１０に示すように、貯湯タンク２１は、下部ケース２１ａと上部ケース２１ｂとを組み合わせて成る。下部ケース２１ａは、貯湯タンク２１の底部を成すものでトレイ状に成形されており、上部ケース２１ｂは、所定の容量を備えたケース状に成形されている。
【００２９】
前述したように貯湯タンク２１は、ケースカバー１１内において略中心となる洗浄用ノズル１２より片側の空間いっぱいに収まる大きさに設計され、具体的には温水使用量（１分間における噴射可能容量）の最適値である９００ｃｃ／分に対応すべく、押上効率（約８０％）を考慮し１２００ｃｃ程度の容量を有するようにすると良い。ここで押上効率とは、貯湯タンクの貯湯容量に対し、所定温度以上の湯がどの程度供給できるかを示す貯湯タンクの効率である。
【００３０】
図１０，図６，図７に示すように、下部ケース２１ａと上部ケース２１ｂとを互いに接合させる各開口端縁に沿って、それぞれ所定間隔おきに合致する位置にネジで共締めするためのネジ止め部２１１が形成されている。ここで各ネジ止め部２１１同士の間隔は、局所的な応力集中を避けるために略均等な最適間隔に設定されている。下部ケース２１ａと上部ケース２１ｂの両側部及び後部の各ネジ止め部２１１間には膨出して周壁を形成し、その部分も貯湯タンク２１の内容積として利用する。
【００３１】
また、図１６，図１８に示すように、各ネジ止め部２１１同士の間のうち、下部ケース２１ａの長辺側に位置する二組の隣り合うネジ止め部２１１同士の間Ｓの周壁は、平坦面に形成している。なお、周壁を平坦面に形成するのは、長辺側の中央部１個所だけでも良い。
【００３２】
下部ケース２１ａの開口端縁に沿う各ネジ止め部２１１同士の間には、所定幅で張り出すフランジ部２１１ａが一体に形成されている。同様に上部ケース２１ｂの開口端縁に沿う各ネジ止め部２１１同士の間にも、所定幅で張り出すフランジ部２１１ｂが一体に形成されている。
【００３３】
図１６に示すように、下部ケース２１ａの方にあるフランジ部２１１ａには、貯湯タンク２１の外壁表面上に付着した水を導き、便器本体内に向かう前方へと排出するための排水通路２１２が凹設されている。排水通路２１２は、フランジ部２１１ａの前部を除く両側部と後部側とに渡るように略コ字形を成している。
【００３４】
排水通路２１２の前部に位置する両端部には、便器本体内へ水を落下させる排水孔２１３が穿設されている。なお、排水通路２１２は、貯湯タンク２１が衛生洗浄装置１０に収納されて便器本体に取り付けられた状態で、前記排水孔２１３側が下方に位置するように、前方下側へと僅かに傾斜するようになっている。なお、排水孔２１３下方に位置するケースカバー１１にはトイが形成してあり、排水孔２１３から落下した水は、便器内に排出されるようになっている。
【００３５】
下部ケース２１ａと上部ケース２１ｂとの組み合わせに際しては、後述する整流ユニット４０やヒータ５０等の関連部品を下部ケース２１ａ側へ組み付けた後、各開口端縁間にパッキン２１０（図１０参照）を介装させた状態で、下部ケース２１ａのネジ止め部２１１から上部ケース２１ｂのネジ止め部２１１の側へ向かってネジで共締めすることになる。
【００３６】
図１３に示すように、前記ケースカバー１１の内壁側には、貯湯タンク２１を収納するに際し、前記フランジ部２１１ｂの所定箇所に係合することで、貯湯タンク２１の位置決めないし仮止めを成す係合部としてフック部１１ａが一体に突設されている。
【００３７】
本実施の形態では、ケースカバー１１に対して貯湯タンク２１を前方から後方へ水平方向に移動させるようにして、前記フック部１１ａの下に上部ケース２１ｂの後方にあるフランジ部２１１ｂを係合させて位置決めと仮止めを同時に行い、更に貯湯タンク２１の前部側でネジ止めしている。図４，図６に示すように、下部ケース２１ａにあるフランジ部２１１ａの前部両端には、ケースカバー１１側へ固設するための一対のネジ止め部２１４が設けられている。
【００３８】
図５，図２０に示すように、前記下部ケース２１ａと上部ケース２１ｂとを互いに接合させる各開口端縁の前部に沿って、それぞれ関連部品から延びる配線ないし配管を単独または束ねた状態で掛け止め可能な掛止手段が設けられている。かかる掛止手段は、各開口端縁の前部に沿ってそれぞれ上下に対向する状態に突設されたフック２１５，２１６から成る。
【００３９】
各フック２１５，２１６は、各開口端縁の前部に沿って貯湯タンク２１の横方向に並ぶように配されている。上下のフック２１５，２１６は、図５に示すように所定間隔をおいて対向するが、もちろん上下にちょうど重なるように対向させてもよい。本実施の形態では、熱交換ユニット２０の関連部品であり、後述するヒータ５０や温度検知手段６０から延ばされたハーネス類２１９が、上下のフック２１５，２１６の間にて、貯湯タンク２１の前部下側で横方向に延びるように掛止される。
【００４０】
また、図９，図２０に示すように、前記下部ケース２１ａにおけるフランジ部２１１ａの側部には、バキュームブレーカー３０から下方へ延びるオーバーフローチューブ３５の途中を挟み込む掛止手段が設けられている。ここで掛止手段は、フランジ部２１１ａより所定間隔おきに下方へ突設された押さえ片２１７から成る。
【００４１】
以上に説明した貯湯タンク２１は、熱交換ユニット２０の主要部を成すものであり、この貯湯タンク２１の内外に組み付ける関連部品の取付部は、何れも便器本体に設置された状態における前記下部ケース２１ａ及び上部ケース２１ｂの前部ないし上部に配置されている。以下、各関連部品について順を追って説明する。
【００４２】
図４，図１１に示すように、貯湯タンク２１の底部には、低温水を取り込む給水部２２が設けられており、上部には温水を排出する吐水部２３が設けられている。また貯湯タンク２１内には、給水部２２から取り込まれた低温水が貯湯タンク２１の底部に沿って水平方向全体に広がり、貯湯タンク２１の下層側の低温水が上層側の湯水を徐々に押し上げ可能にする整流構造が配設されている。
【００４３】
貯湯タンク２１は、各図に示したそれ自体の内部形状や前記整流構造により、給水部２２より低温水が取り込まれている給水方向と、給水部２２より低温水が取り込まれていない停水時の自然対流方向とが略同一となるように設定されている。
【００４４】
図２２及び図２３は、貯湯タンク２１内の全体における給水方向及び自然対流方向を概念的に示したものである。図２２（ａ）は、貯湯タンク２１を正面側から見た場合の止水時における大凡の対流経路を矢印で示し、同図（ｂ）は、貯湯タンク２１を右側面側から見た場合の止水時における大凡の対流経路を矢印で示している。また図１２に示すように、貯湯タンク２１（上部ケース２１ｂ）の鉛直方向における断面積は、底部から上部に向けて減少する形状に成形されている。
【００４５】
また、図２３（ａ）は、貯湯タンク２１を正面側から見た場合の流入時における大凡の給水方向及び対流経路を矢印で示し、同図（ｂ）は、貯湯タンク２１を右側面側から見た場合の流入時における大凡の給水方向及び対流経路を矢印で示している。なお、沸き上がった状態で、水が流入すると仮定すると、流入した水と貯湯タンク内の湯との境界層が温度検知手段６０位置以上になった場合にヒータ通電は行われると考えられるので、温度検知手段６０位置以下の場合を図２３に示した。
【００４６】
前記給水部２２は、水道水供給路１１０（図３参照）の先端を接続可能な給水エルボから成り、図４，図１０等に示すように、前記下部ケース２１ａの前部側方に連通接続されている。一方、前記吐水部２３は、図１０，図１１に示すように前記上部ケース２１ｂの上部一端側に開設されており、この吐水部２３にバキュームブレーカー３０が取り付けられている。
【００４７】
図４，図６，図１０，図１１，それに図２４に示すように、前記バキュームブレーカー３０は、蓋体３０ａと蓋３０ａ内方に配置される弁体３０ｂと、蓋体３０ａと吐水部２３との間をシールするＯリング３０ｃとで構成され、蓋体３０ａの脇には主吐水口３２が設けられ、蓋体３０ａの上方に突出して設けられる排水芯３１は主吐水口３２を避けるために中心から偏芯して設けられ、排水芯３１の脇にはオーバーフロー吐水口（空気取込口）３３が設けられる。このように排水芯３１を偏芯して設けることで、全体形状を極力小型化することができる。なお、主吐水口３２には、洗浄用ノズル１２へ温水を供給する温水流出チューブ３４が接続され、オーバーフロー吐水口（空気取込口）３３にはオーバーフローチューブ３５が接続されている。
【００４８】
前記構成により、バキュームブレーカー３０は主電磁弁１１１の開放時には弁体３０ｂを持ち上げて、オーバーフロー吐水口３３への流路を閉じ、主吐水口３２へ貯湯タンク２１内の温水を供給し、主電磁弁１１１が閉塞時には重力により弁体３０ｂは吐水部２３を閉塞し、オーバーフロー吐水口３３と主吐水口３２とを連通することで、主吐水口３２より下流に空気を導入することで、配管内に残る残水を洗浄用ノズル１２の噴出口から排出するようにしている。
【００４９】
図１３〜図１７に示すように、前記整流構造は、箱型形状に一体成形された整流ユニット４０から成る。整流ユニット４０は、前記給水部２２から取り込まれた低温水を最初に導入する第１空間４１と、該第１空間４１と整流板４３を隔て隣接し、該整流板４３に形成された連通部４４を通して低温水が流入する第２空間４２とを備えている。
【００５０】
整流ユニット４０は２層構造の空間を備えた箱型形状であり、第１空間４１は貯湯タンク２１の底部に沿わせた奥行方向の動圧を均一化するための下層を成し、第２空間４２は第１空間４１の上側に配置させてヒータ５０下部の死水領域に、均一に水を拡散させるための上層を成す。図１７に示すように、第１空間４１の一端側には、前記給水部２２に連通して、低温水の流れを折曲させつつ動圧を減殺させる流入部４５が設けられている。
【００５１】
図１３に示すように、第２空間４２の長手方向の一側面は大きく開設されており、整流板４３（の連通部４４）を通して動圧が略均一化された低温水をタンク底面へ均一に送り出す開口部４６が形成されている。図１４に示すように、第２空間４２の天井板４２ａは、開口部４６の長手方向に沿って所定幅で延出しており、開口部４６より解放される低温水は、貯湯タンク２１の底部に向けて略水平ないし下方へ向かうように設定されている。
【００５２】
また、整流ユニット４０の取り付けは、天井板４２ａの一端側にあるネジ止部４２ｂを、下部ケース２１ａの底面に突設されたボス２４にネジ止めすることにより行うが、図１７に示すように、更に流入部４５の一端側にある押さえ突起４５ａが、上部ケース２１ｂの開口端縁の内端縁（係止部）２６に係止して上から押さえられることになる。なお、図１４，図１５に示すように、下部ケース２１ａの底面には、前記第１空間４１の底面開口周縁が嵌合して、第１空間４１の底面側の密閉性を保つユニット取付部２５が設けられている。
【００５３】
図１０に示すように、貯湯タンク２１の底部には、低温水を加熱して温水にするためのヒータ５０が配設されている。ヒータ５０はいわゆるシーズヒータであるが、それ自体に取付用のフランジを有さない構造のものが採用されている。またヒータ５０は、全体的には平面視で略コ字形に形成されたものであり、前記貯湯タンク２１の底部に沿って水平方向に展開する状態に配設される。
【００５４】
ヒータ５０は、その両端部５１付近が前記貯湯タンク２１の外壁より外側へ突出する状態に支持され、両端部５１より貯湯タンク２１内側に配される連結部分が連結部５３を成している。なお、両端部５１よりも連結部５３が長く形成される。本実施例においては、両端部は６ｃｍ程度、連結部は１０ｃｍに形成し、両端部５１と連結部５３との間は半径２ｃｍ程度のＲとし、略Ｕ字形状としている（両端部の直線部分は４ｃｍ程度、連結部の直線部分は６ｃｍ程度）。かかるヒータ５０は、最適な自然対流の温度拡散ができると共に沸騰音の発生を抑えるという観点より、１０Ｗ／ｃｍ２以下のワット密度とするとよい。
【００５５】
図２５〜図２７に示すように、下部ケース２１ａの前部には、前記ヒータ５０の端部５１を貫通させやすいように、該端部５１断面と略同一形状で若干大き目の取付孔２２０を開設している。この取付孔２２０にヒータ５０の端部５１を貫通させた状態で、端部５１から１ｃｍ位のところにＯリング２２１、樹脂製のバックアップリング２２２、それに金属製のテーパリング２２３を順に外嵌させる。
【００５６】
ヒータ５０の端部５１には、Ｏリング２２１の位置決めを示すマーキング等を予めしておくと、組立時の目安となる。バックアップリング２２２は断面Ｌ字状のリング形状とされ、内径はヒータ５０と略同径としており、テーパリング２２３はリング形状で一部切り欠かれており、内径はヒータ５０よりも小さ目とされている。
【００５７】
図２６に示すように、取付孔２２０には、タンク内壁から順に最細部２２０ａ、Ｏリング収納部２２０ｂ、押え部材挿入部２２０ｃと３段構造となっており、Ｏリング収納部２２０ｂの内周側にＯリング２２１を当接させた状態で、押さえ部材５５の先端部５６を押え部材挿入部２２０ｃ内に嵌挿することで、バックアップリング２２２の小径部がＯリング収納部２２０ｂに嵌挿され、Ｏリング２２１が水圧によってＯリング収納部２２０ｂから抜け落ちるのを防止する。
【００５８】
また、Ｏリング収納部２２０ｂと押え部材挿入部２２０ｃとの間の段部に、バックアップリング２２２の大径部が当接することでテーパリング２２３を押圧し、テーパリング２２３の小径部を絞りヒータ５０を強く締め付けるようにして、ヒータ５０とテーパリング２２３を嵌合一体化する。
【００５９】
図２７に示すように、押え部材５５は、ヒータ５０の端部５１より同軸上に突出するタブ端子５２に一定姿勢で挿通可能な嵌合孔５７を備え、この嵌合孔５７は、押え部材５５を横にした状態でタブ端子５２を挿通させた後、押え部材５５を９０度回転させることにより、前記タブ端子５２の基端側に嵌合孔５７の周縁を係合させることができる。
【００６０】
なお、押え部材５５より突出する前記端子５１にあるタブ端子５２には、ヒータ５０単体時にはチューブ形状の保護キャップが被せられており、取付孔２２０嵌挿時にタブ端子５２が折れないように配慮しておく。この保護キャップはＯリング２２１挿入後に取り外す。また、押さえ部材５５より突出した前記端部５１にあるタブ端子５２には保護キャップ５８が被せられている。この場合の保護キャップ５８は、タブ端子５２に接続されるコネクタとしての機能を有するものである。
【００６１】
また、前記貯湯タンク２１の外壁より突出する前記ヒータ５０の両端部５１の間は、他の関連部品の配置スペースとして利用されている。図４〜図６に示すように本実施の形態では、前記ヒータ５０の両端部５１間に、メンテナンス時に貯湯タンク２１の水を総て排出するための水抜き部２００が設けられている。
【００６２】
図１５に示すように、水抜き部２００は、下部ケース２１ａに一体成形されたガイド部２０１と、該ガイド部２０１に組込むゴム製弁座２０２と水抜弁体２０４、押え部材２０３とから構成されている。かかる水抜き部２００は、水抜き弁体２０４に一体に形成される押棒を図示しない操作棒で押すことで水抜き動作を行う。なお、水抜き部２００は、衛生洗浄装置１０全体を便器本体側のベースプレートから外した時のみ水抜き可能に構成されている。
【００６３】
図１０に示すように、貯湯タンク２１内には温水温度を検知するための温度検知手段６０が設けられている。温度検知手段６０は、温水温度が所望の設定温度（例えば３９〜４０℃）の範囲内であるかを検知可能なサーミスタから成り、前記コントローラ１００へ温度信号を出力するものである。コントローラ１００は、この温度検知手段６０からの温度信号に基づき、前記ヒータ５０をＯＮ／ＯＦＦ制御するようになっている。
【００６４】
図１２において、温度検知手段６０は、貯湯タンク２１内の自然対流方向における前記ヒータ５０の直ぐ下流付近に配置されている。すなわち、ヒータ５０で温められた温水は、直ぐに温度検知手段６０を通り上方へと循環するように設定されている。また温度検知手段６０は細棒状であり、貯湯タンク２１内にて横方向へ延びるように配設されている。
【００６５】
詳しくは図４〜図６に示すように、上部ケース２１ｂの前面壁は傾斜して設けられ（傾斜部２１ｃ）、この傾斜部２１ｃ下側には、タンク内側へ凹む取付部２７が設けられている。温度検知手段６０は、支持ブラケット６１に予め横方向へ突出する状態に固定されている。そして、温度検知手段６０が貯湯タンク２１内にて横方向へ延びるように、支持ブラケット６１が取付部２７に対して横方向から組み付けられる。かかる温度検知手段６０のオーバーシュートが出ないために、貯湯タンク２１内に熱溜まりができず、境界層を乱すことがない。
【００６６】
また、上部ケース２１ｂの傾斜部２１ｃの上部分には傾斜面２１ｄを設ける。これにより、貯湯タンク２１右側下方に圧力密度が疎である部分を形成し、この部分から自然対流が発生するようにしている。この傾斜部２１ｃ、傾斜面２１ｄはケースカバー１１の形状に合わせて設けたのであるが、ヒータ５０の配置を工夫したことにより貯湯タンク２１の押上効率（洗浄水として有効に利用できる湯量／貯湯タンクの内部容量）にも大きく寄与するものとなる。
【００６７】
図１２に示すように、貯湯タンク２１の外側には、前記ヒータ５０へ過電流が流れた際に、該ヒータ５０への給電回路を遮断する温度ヒューズ７０が設けられている。温度ヒューズ７０は前記ヒータ５０の空焚きを防止するためのものであり、所定の高温（例えば７３℃）で溶断するようになっている。
【００６８】
図１８にも示すように、温度ヒューズ７０は、前記ヒータ５０の連結部５３の下方に位置するように、貯湯タンク２１の底部に設けられている。詳しく言えば、温度ヒューズ７０は下部ケース２１ａの外壁を成す底面の一端側に設けられており、また、温度ヒューズ７０の取付部位の周囲には、底面に付着した水が温度ヒューズ７０に侵入するのを防止する被水防止手段が設けられている。
【００６９】
ここで被水防止手段は、温度ヒューズ７０の取付部位を取り囲むように突設された水切りリブ２０７から成る。水切りリブ２０７は、下部ケース２１ａの底面上にて前記温度ヒューズ７０の取付部位の矩形状輪郭に沿って、フランジ状に突設するように一体成形されている。
【００７０】
図７，図９に示すように、貯湯タンク２１の一側部上端側には、貯湯タンク２１内の湯水が所定値以上の高温となった際に検知可能な高温検知手段８０が設けられている。高温検知手段８０は、所定値以上の高温を検知するバイメタルスイッチから成り、許容温度以上の高温水が噴射されるのを防止するためのものである。
【００７１】
図１１に示すように、高温検知手段８０は、上部ケース２１ｂの上部にある吐水部２３とは略直角に対向する一側部上端に配置されており、吐水部２３と高温検知手段８０とは極めて近接している。また、高温検知手段８０は、上部ケース２１ｂの側部上端側に配設されているが、貯湯タンク２１内における上部天井面より下方へ所定距離だけ離隔している。ここで高温検知手段８０を吐水部２３に近接して設けることにより、噴射される寸前の温水に対する高温検知の応答性が向上し、高温回避による安全性の向上が図られている。
【００７２】
詳しくは、上部ケース２１ｂの側部上端側の外壁には、高温検知手段８０の取付用開口部２８が開設されており、ここに高温検知手段８０は、金属製ブラケット８１等を介して、貯湯タンク２１内側へ露出する状態で横方向から組み付けられている。ここで金属製ブラケット８１は、そのまま高温検知手段８０の接地端子（アース）として利用されている。
【００７３】
また、上部ケース２１ｂにおける取付用開口部２８の周囲には、上部ケース２１ｂの表面に付着した水が高温検知手段８０に侵入するのを防止する被水防止手段が設けられている。ここで被水防止手段は、高温検知手段８０を取り付ける取付用開口部２８を取り囲むように上部ケース２１ｂの外壁に一体成形された水切りカバー２９から成る。図４〜図９に示すように、水切りカバー２９は、貯湯タンク２１（上部ケース２１ｂ）の上部に張り出し、コーナー部に沿って垂下する樋状に成形されており、付着した水を貯湯タンク２１の下方へと一定経路で落下させるようになっている。
【００７４】
図７に示すように、前記水切りカバー２９には、貯湯タンク２１の外壁におけるコーナー部に沿って、前記バキュームブレーカー３０から延びる温水流出チューブ３４及びオーバーフローチューブ３５を束ねた状態で掛け止め可能な掛止手段としてのガイド片２９ａが一体的に設けられている。
【００７５】
温水流出チューブ３４は、前記ガイド片２９ａに掛止されてから貯湯タンク２１の側部にある中継エルボ９０に接続されている。一方、オーバーフローチューブ３５は、前記ガイド片２９ａに掛止されて、貯湯タンク２１のコーナー部に沿ってそのまま下方へ延びている。フランジ部２１１ｂにも、オーバーフローチューブ３５の途中を掛止するフック２１８が一体成形され、更にフランジ部２１１ａにも、オーバーフローチューブ３５を沿わせるための押さえ片２１７が一体成形されている。
【００７６】
図１９，図２０に示すように、中継エルボ９０は、前記バキュームブレーカー３０より延びる温水流出チューブ３４の途中に介装されるものであり、その一端口９１には温水流出チューブ３４の先端が接続され、他端口９２には温水流出チューブ３４の後半部分を成す続温水流出チューブ３４ａの基端が接続される。続温水流出チューブ３４ａは、前記洗浄用ノズル１２の可動範囲に対応できる遊び長さを備え、その先端は洗浄用ノズル１２の基端側に接続されている。中継エルボ９０により、洗浄用ノズル１２の可動に伴う温水流出チューブ３４の移動範囲を可及的に少なくすることができる。よって、デッドスペースを少なくすることができる。
【００７７】
中継エルボ９０は、本実施の形態では独立部品として成形されており、貯湯タンク２１の側部要所に後から取り付けられているが、中継エルボ９０の全部あるいは少なくとも一部を、貯湯タンク２１の外壁に一体成形するように構成してもよい。かかる場合には部品点数を減少させることができる。
【００７８】
図１０，図１１に示すように、貯湯タンク２１の上部にはフロートスイッチ１２０も設けられている。フロートスイッチ１２０は、貯湯タンク２１内の湯量を検出するものであり、基体１２１に昇降可能に緩く嵌合されたフロート１２２を備え、フロート１２２の昇降によりＯＮ／ＯＦＦが切り換わり、ＯＦＦとなって満水でないことを知らせるようになっている。
【００７９】
上部ケース２１ｂの上部において前記吐水部２３の反対側には、フロートスイッチ１２０の取付部２０５が凹設されており、ここにフロートスイッチ１２０はブラケット１２３を介して取り付けられている。フロートスイッチ１２０も、信号線を介して前記コントローラ１００に接続されている。
【００８０】
図４〜図６に示すように、上部ケース２１ｂの外壁にはコーナー部に沿って、前記フロートスイッチ１２０から漏れた水を下方へ排出させるための樋部２０６が設けられている。樋部２０６は、その上端が前記フロートスイッチ１２０の取付部２０５に連通しており、取付部２０５からコーナー部に沿って下端に渡るように外壁上に一体成形されている。
【００８１】
樋部２０６の下端には、前記フランジ部２１１ａにある排水通路２１２に連通する落下孔２０６ａ（図６参照）が設けられており、この樋部２０６の下端まで流下した水は、前記排水通路２１２を介して便器本体へ排水されるようになっている。
【００８２】
また、貯湯タンク２１における上部ケース２１ｂの外壁には、図２１に示す断熱材１３０が装着されている。断熱材１３０は一枚のシート状に成形されており、その全体形状は、上部ケース２１ｂの上部及び側部を広く覆い得る展開図の形状に裁断されている。
【００８３】
断熱材１３０には、前記上部ケース２１ｂの外壁上に配設される関連部品を回避する切欠部が設けられている。詳しく言えば、断熱材１３０には、前記フロートスイッチ１２０とその取付部２０５を回避する切欠部１３１と、前記バキュームブレーカー３０を回避する切欠部１３２が設けられている。
【００８４】
また断熱材１３０には、前記温度検知手段６０とその取付部２７を回避する切欠部１３３と、前記中継エルボ９０を回避する切欠部１３４が設けられている。更に断熱材１３０には、前記樋部２０６に沿って貼り付ける位置決め辺１３５も設けられている。なお断熱材１３０は、一般の保温材を前記各切欠部等を備えた図示したシート形状に裁断して成り、両面テープ等によって上部ケース２１ｂの外壁に装着できるようになっている。
【００８５】
次に前記熱交換ユニット２０とその貯湯タンク２１、それに各種関連部品の作用について説明する。
熱交換ユニット２０を組み立てる際、その主要部を成す貯湯タンク２１の下部ケース２１ａと上部ケース２１ｂとを接合する前に、下部ケース２１ａ側に予め給水部２２、整流ユニット４０、ヒータ５０、それに水抜き部２００等を組み付けておくとよい。
【００８６】
整流ユニット４０を組み付ける場合、図１５に示すように、第１空間４１の底面開口を、下部ケース２１ａの底部にあるユニット取付部２５に上から嵌合させて位置決めする。そして、天井板４２ａの一端側にあるネジ止部４２ｂを、下部ケース２１ａの底面にあるボス２４にネジ止めすればよい。図１７に示すように、流入部４５の一端側にある押さえ突起４５ａは、後付けする上部ケース２１ｂの開口端縁の内端縁（係止部）２６に押さえられることになる。
【００８７】
ここで整流ユニット４０は合成樹脂で一体成形できるものであり、整流ユニット４０の押さえ突起４５ａと上部ケース２１ｂの内端縁２６との係合関係により、実質的にはネジ１本だけで容易に組み付けることができ、コストアップを招くことはない。
【００８８】
次にヒータ５０を組み付けるとよいが、ここでヒータ５０は、取付用のフランジを有さない構造のものが採用されているため、従来のフランジ付きのヒータのように、高価なフランジが不要となり、またフランジの溶接作業も不要となるので、コストを大幅に低減することができる。
【００８９】
図１５に示すように、ヒータ５０は略コ字形に形成されており、その両端部５１を、下部ケース２１ａの前部より外側へ突出させる状態に支持するが、貯湯タンク２１の底部に沿って水平方向に展開する状態に配設する。下部ケース２１ａの前部には、ヒータ５０の端部５１が貫通する取付孔２２０が開設されている。
【００９０】
ヒータ５０の端部５１に予めパッキンを外嵌させておき、該パッキンを前記取付孔２２０の内周側に押さえつける状態で、押さえ部材５５をネジ止めすればよい。ここでヒータ５０の端部５１に、前記パッキンの位置決めを成すマーキングをマジックペン等で記しておけば、Ｏリング等から成るパッキンの位置決めを容易に行うことができる。
【００９１】
このようなヒータ５０の取り付け構造によれば、なるべく部品点数を抑えた上で、容易にヒータ５０を取り付け及び取り外すことが可能となり、保守や点検を迅速に行うことができる。また、ヒータ５０の端部５１周囲における密閉性も向上させることができる。
【００９２】
また、ヒータ５０のフランジを省いたことにより、従来の如くフランジにより他部品の配置スペースが侵食されることがない。そのため、ヒータ５０の両端部５１の間を、他の関連部品の配置スペースとして有効に活用することができる。本実施の形態では、この両端部５１間に水抜き部２００を配設することになる。
【００９３】
前記下部ケース２１ａ側に給水部２２、整流ユニット４０、ヒータ５０等を組み付け終えたら、図１０に示すように、下部ケース２１ａと上部ケース２１ｂとを組み合わせる。各ケース２１ａ，２１ｂの各開口端縁に沿って形成されたネジ止め部２１１は、互いに略均等な間隔に配されているので、各ネジ止め部２１１における局所的な応力集中を防止することができる。
【００９４】
また、図１６，図１８に示すように、各ネジ止め部２１１同士の間のうち、下部ケース２１ａの長辺側に位置する二組の隣り合うネジ止め部２１１同士の間Ｓの周壁を、平坦面に形成することにより、特に応力が集中しやすい当該部位における応力を十分に分散させることができ、強度も高めることができる。しかも、平坦面に形成する位置を長辺側のみとすることにより、貯湯タンク２１の貯湯量の減少を最小限に抑えることが可能となり、貯湯量と強度とをバランス良く確保することができる。
【００９５】
各ネジ止め部２１１同士の間に、所定幅で張り出すフランジ部２１１ａ，２１１ｂも一体に形成されており、更に応力を分散できるばかりでなく、各開口端縁における強度も向上している。なお、各ネジ止め部２１１同士の間隔やフランジ部２１１ａ，２１１ｂの幅は、各開口端縁の具体的な形状や大きさに応じて、応力分散の観点より最適な間隔に設計されている。
【００９６】
ネジ止めするに当たっては、各開口端縁間にパッキン２１０（図１０参照）を介装させた状態で、下部ケース２１ａのネジ止め部２１１から上部ケース２１ｂのネジ止め部２１１の側へ向かってネジを挿入して共締めする。このように、トレイ状の下部ケース２１ａの側からネジ止めすることにより、ドライバ等の工具が上部ケース２１ｂの外壁に干渉することがなく、効率よく組み付け作業を行うことができ、タンク容量が組み付け作業性の観点から減縮されるおそれもない。更に貯湯タンク２１の底部側に、ネジの先端側が突出するのを防ぐことができる。
【００９７】
下部ケース２１ａと上部ケース２１ｂとを組み合わせた後、今度は上部ケース２１ｂ側に残りの関連部品を組み付けるとよい。
図１１に示すように、上部ケース２１ｂの一側部上端側の外壁には取付用開口部２８があり、当該箇所に高温検知手段８０を、金属製ブラケット８１等を介して組み付ける。ここで高温検知手段８０は、上部ケース２１ｂの上部一端側の吐水部２３と略直角に対向する状態となり、高温検知手段８０を吐水部２３に極めて近接させることができる。
【００９８】
それにより、高温検知手段８０により、人体局部に噴出される直前の湯水が許容温度以上の高温であるか否かを正確に検知することができる。高温検知手段８０によって許容温度以上の高温が検知されると、コントローラ１００により洗浄用ノズル１２からの噴射は停止制御される。
【００９９】
また高温検知手段８０は、貯湯タンク２１内における上端面より所定距離だけ離隔するため、貯湯タンク２１内の上端面付近に万一空気が貯まっても、高温検知手段８０が空気に触れるおそれはなく、最上部層における一番高い温水温度を正確に検知することができる。また、金属製ブラケット８１をそのまま高温検知手段８０の接地端子（アース）とすることで、アースに別部品を用意する必要もない。
【０１００】
前記吐水部２３にはバキュームブレーカー３０を組み付けるが、図６において、バキュームブレーカー３０の排水芯３１を円盤形の中心から偏心させることで、円盤形の全体構成を小型化することができる。すなわち、従来の円盤形逆止弁から成るバキュームブレーカーでは、その排水芯は円盤形の軸心にちょうど位置し、その脇に等間隔に並ぶよう主吐水口と補吐水口が設けられていた。
【０１０１】
そのため、従来のものでは円盤形の外径が必然的に大きくなり、余分な配置スペースを必要とするものであったが、前述したように排水芯３１を偏心させることで、この排水芯３１と主吐水口３２及びオーバーフロー吐水口３３を頂点とする三角形を囲い込む円の大きさを最小化する設計が可能となる。
【０１０２】
図１１，図１２に示すように、上部ケース２１ｂの前部下側には、温度検知手段６０の取付部２７が設けられており、この取付部２７に対して、支持ブラケット６１を介して温度検知手段６０を、貯湯タンク２１内にて横方向へ延びるように横方向から組み付ける。ここで温度検知手段６０は、貯湯タンク内の自然対流方向（図２３参照）において、ヒータ５０の直ぐ下流付近に位置する。
【０１０３】
そのため、温度検知手段６０によって、ヒータ５０で温められた直後の比較的高温な温水温度を正確に検知することが可能となる。また、温度検知手段６０は、貯湯タンク２１内にて横方向へ延びるから、低温水層と温水層との境を成す界面とも略平行となり、同一温度層に広い範囲で接するようになり、更に正確に所望の温水温度を検知することができる。
【０１０４】
以上のように、貯湯タンク２１内外に組み付ける関連部品の取付部を、便器本体に設置された状態における下部ケース２１ａ及び上部ケース２１ｂの前部ないし上部に配置することにより、貯湯タンク２１を含む装置全体を便器本体に設置したままの状態で、関連部品を容易に保守及び点検することが可能となる。
【０１０５】
また、貯湯タンク２１の外壁には、内部の温水を保温する観点より断熱材を装着する。図２１に示すように断熱材１３０を、貯湯タンク２１の立体形状に対応した展開図形状となる一枚のシート状に成形し、この断熱材１３０の適所に、前記貯湯タンク２１の外壁上に配設される関連部品を回避する切欠部を設ける。
【０１０６】
すなわち、断熱材１３０には、前記フロートスイッチ１２０とその取付部２０５を回避する切欠部１３１と、前記バキュームブレーカー３０を回避する切欠部１３２と、前記温度検知手段６０とその取付部２７を回避する切欠部１３３と、前記中継エルボ９０を回避する切欠部１３４とを、それぞれ予め所定の位置に設けておく。更に断熱材１３０には、貯湯タンク２１のコーナー部に形成された樋部２０６に沿う位置決め辺１３５も設けておく。
【０１０７】
上部ケース２１ｂに断熱材１３０を装着する際には、先ず断熱材１３０の位置決め辺１３５を前記樋部２０６に沿わせて、貼り付け開始位置を定め、後は順次、各々の切欠部１３１〜１３４をそれぞれ対応する部位に位置決めしつつ貼り付ける。それにより、断熱材１３０を上部ケース２１ｂの外壁に対して、所望の態様にずれないように簡易かつ迅速に貼り付けることができる。
【０１０８】
断熱材１３０は一般の保温材を、図２１に示した形状に裁断することで簡単に作成でき、該断熱材１３０は両面テープ等によって上部ケース２１ｂの外壁に容易に貼り付けることができる。また、貯湯タンク２１の外壁に断熱材１３０を装着した後も、貯湯タンク２１の外壁上にある関連部品は、前記切欠部１３１〜１３５を通して外部へ露出するため、これら関連部品を保守ないし点検する際に、断熱材１３０が邪魔になることがなく容易に対応することができる。
【０１０９】
また、貯湯タンク２１の外壁上にある関連部品から延びるハーネスやチューブ類を、ばらけないようまとめる配線処理を行う。図５，図２０に示すように、前記下部ケース２１ａと上部ケース２１ｂとを互いに接合させる各開口端縁の前部に沿って、掛止手段であるフック２１５，２１６が上下に対向する状態に設けられている。これら上下のフック２１５，２１６の間に、前記ヒータ５０や温度検知手段６０から延ばされたハーネス類２１９を容易に掛け止め配線することができる。
【０１１０】
各フック２１５，２１６は、各ケース２１ａ，２１ｂの開口端縁に沿って形成されることにより、金型から容易に型抜きできる各種形状に設計することが可能となり、各ケース２１ａ，２１ｂと一体成形されるから、ハーネス類２１９を束ねるためのフックを別部品として用意する必要もなくなり、部品点数の増加によるコストアップを抑えることができる。
【０１１１】
各フック２１５，２１６は、各ケース２１ａ，２１ｂの接合部分に沿って横方向へ並ぶように配されており、ハーネス類２１９は貯湯タンク２１の前部下側で横方向に延びるように掛止されるが、当該部位である各ケース２１ａ，２１ｂの接合部分には、元々関連部品を配設することがない。従って、各種の配線や配管を、他の部品と干渉しない最適な状態に動かぬように配置させることができる。
【０１１２】
図７に示すように、前記バキュームブレーカー３０からは温水流出チューブ３４及びオーバーフローチューブ３５が延ばされるが、これらのチューブ３４，３５は、高温検知手段８０の水切りカバー２９に一体に設けられたガイド片２９ａに掛け止めることで、貯湯タンク２１のコーナー部に沿わせた状態で下方へ延ばすことができる。
【０１１３】
ガイド片２９ａから延びるオーバーフローチューブ３５の途中は、いったんフランジ部２１１ｂのフック２１８に掛止してから、フランジ部２１１ａにある押さえ片２１７に掛止することで、貯湯タンク２１の外壁に沿わせることができる。また、温水流出チューブ３４は、前記ガイド片２９ａに掛止してから貯湯タンク２１の側部にある中継エルボ９０に接続させる。
【０１１４】
中継エルボ９０は、本実施の形態では独立部品として成形されており、貯湯タンク２１の側部要所に後から取り付けられるが、この中継エルボ９０の全部あるいは少なくとも一部を、貯湯タンク２１の外壁に一体成形するように構成すれば、よりいっそうと部品点数を減少させることができる。
【０１１５】
以上のように組み上がった熱交換ユニット２０を、図１３において、ケースカバー１０に収納するには、ケースカバー１１に対して貯湯タンク２１を前方から後方へ水平方向に移動させる。この時フック部１１ａの下に上部ケース２１ｂの後方にあるフランジ部２１１ｂを係合させて位置決めと仮止めを同時に行う。そして、図４，図６に示すように、下部ケース２１ａにある一対のネジ止め部２１４をケースカバー１１側へ固設すればよい。
【０１１６】
本衛生洗浄装置１０は便器本体に装着されるが、便器が使用されていないときでも、コントローラ１００により何時使用されても良いように制御されることになる。そして便器が使用されたとき、使用者による主操作部１０１の操作に応じて、洗浄用ノズル１２より湯水が噴出されて、人体局部を洗浄するのに用いられる。
【０１１７】
貯湯タンク２１内には、主電磁弁１１１の開閉により水道水供給路１１０から低温水（水道水）が適宜供給される。主電磁弁１１１が接続された給水部２２より貯湯タンク２１内に入る低温水は、先ず整流ユニット４０の流入部４５を通る過程で流れが折曲されて動圧がある程度減殺される。
【０１１８】
低温水が整流ユニット４０の第１空間４１に入ると、整流板４３の連通部４４を通ることで更に動圧が減殺されつつ、整流板４３の全域に亘り動圧がほぼ均一化された状態で第２空間４２へ移動する。そして第２空間４２の開口部４６から、貯湯タンク２１の底部に向けて略水平ないし下方へ向かうように解放される。
【０１１９】
それにより、給水時には貯湯タンク２１の下層側の低温水が、上層側の湯水を徐々に押し上げる状態となる。そのため、最低部の低温水層から最上部の温水層に至る積層状態を安定した状態に維持することができる。特に低温水と湯水との境界として略水平に広がる界面が乱れるのを極力防ぐことができる。
【０１２０】
新たに貯湯タンク２１に取り入れられた低温水は、貯湯タンク２１の底部付近にてヒータ５０により加熱される。図２２，図２３に示すように、貯湯タンク２１は、給水方向と停水時の自然対流方向とが略同一に設定されているので、給水時における低温水の動圧によって、停水時であった既存の対流経路が大きく乱されるようなことがない。そのため、ヒータ５０によって効率よく加熱することが可能となる。
【０１２１】
貯湯タンク２１の上層側に貯まった温水は、使用時にバキュームブレーカー３０によって吸い上げられた後、中継エルボ９０を経由して洗浄用ノズル１２へ供給され、洗浄用ノズル１２から噴出される。なお、フロートスイッチ１２０がＯＮでないときは、貯湯タンク２１が空であるおそれがあるので、コントローラ１００の制御により空焚きを防止するためにヒータ５０には通電しないようになっている。
【０１２２】
図６に示すように、上部ケース２１ｂの外壁には、前記フロートスイッチ１２０の取付部２０５に連通してコーナー部に沿って下方へ延びる樋部２０６があるので、前記フロートスイッチ１２０から漏れた水は、この樋部２０６を通って不用意に広がることなく流下する。樋部２０６の下端まで来た水は、落下孔２０６ａから下部ケース２１ａのフランジ部２１１ａにある排水通路２１２へと落下する。
【０１２３】
このような排水通路２１２からの水のみならず、貯湯タンク２１の外壁表面上に付着した水は総て排水通路２１２へ導かれるが、排水通路２１２は、貯湯タンク２１が衛生洗浄装置１０に収納されて便器本体に取り付けられた状態では、前方にある排水孔２１３側が下方へ僅かに傾斜するため、排水通路２１２に入った水は、その排水孔２１３より便器本体内へ排出される。それにより、貯湯タンク２１の外壁表面上の結露水等が底部まで垂れて、周囲が不用意に濡れたりするのを防止することができる。
【０１２４】
また図７に示すように、高温検知手段８０の取付用開口部２８の周囲に水切りカバー２９を設けることで、上部ケース２１ｂの外壁表面に付着した水が高温検知手段８０に侵入するのを防止することができ、漏電対策による安全性を高めることができる。同様に図１８に示すように、下部ケース２１ａの底部外側に設けた温度ヒューズ７０の周囲に水切りリブ２０７を設けることで、万一下部ケース２１ａの底部まで漏水が回り込んでも、温度ヒューズ７０に水が侵入するのを防止することができる。
【０１２５】
以上、本発明の実施形態を図面によって説明してきたが、具体的な構成はこれら実施形態に限られるものではなく、本発明の要旨を逸脱しない範囲における変更や追加があっても本発明に含まれる。
【０１２６】
例えば、前記ケースカバー１１の内壁側には、貯湯タンク２１を収納する際、前記フランジ部２１１ｂに係合することで貯湯タンク２１の位置決めないし仮止めを成す係合部としてフック部１１ａ（図１３参照）を設けたが、その他、フランジ部２１１ａ，２１１ｂに爪を設けておき、この爪が嵌合する凹溝を係合部としてケースカバー１１の内壁側に設けてもよい。
【０１２７】
また、前記貯湯タンク２１は、各分割ケースとして下部ケース２１ａと上部ケース２１ｂとを組み合わせて成るが、例えば上下に重なる３つの分割ケースを組み合わせる等、別々に成形された複数の分割ケースを組み合わせて貯湯タンクを構成するようにしてもよい。かかる場合、各分割ケースを互いに接合させる各開口端縁に、それぞれ関連部品から延びる配線ないし配管を単独または束ねた状態で掛け止め可能な掛止手段であるフック２１５，２１６等を設けるとよい。
【０１２８】
更にまた、前記下部ケース２１ａと上部ケース２１ｂの各開口端縁に設ける掛止手段はフック形状に限られるものではなく、前記押さえ片２１７と同様に単なる突片状に形成してもよい。また、掛止手段に掛け止めるのは、前記温度検知手段６０等の熱交換ユニット２０を構成する関連部品に限られず、例えば貯湯タンク２１の周囲に配置される他の部品のハーネスや配管チューブ等であってもかまわない。
【０１２９】
【発明の効果】
本発明に係る衛生洗浄装置によれば、貯湯タンクを別々に成形された複数の分割ケースを組み合わせて形成した上で、各分割ケースを互いに接合させる各開口端縁の少なくとも一方に、関連部品から延びる配線ないし配管を掛け止め可能な掛止手段を設けたから、容易かつ迅速に配線ないし配管を嵩張らないように配置させることができる。
【０１３０】
前記掛止手段としては、様々な形状のものが考えられるが、掛止手段は各分割ケースの各開口端縁に設ける関係上、分割ケースを金型により一体成形する場合であっても、金型の端面付近で容易に型抜きできるように設計することが可能となり、コストを低減することができる。
【０１３１】
また、前記貯湯タンクを、各分割ケースとして下部ケースと上部ケースとを組み合わせるように構成し、下部ケースと上部ケースとを互いに接合させる各開口端縁に沿って、貯湯タンクの横方向に並ぶように前記掛止手段を設ければ、もともと各ケースの接合部分には関連部品を配設する可能性に乏しいので、各種の配線や配管を他の部品と干渉しない最適な状態に配置させることができる。
【０１３２】
更にまた、前記貯湯タンクの外壁におけるコーナー部に沿って、関連部品から延びる配線ないし配管を単独または束ねた状態で掛け止め可能な掛止手段を設ければ、コーナーに沿って嵩張らないように各種の配線や配管をまとめることができる。
【図面の簡単な説明】
【図１】本発明の一実施の形態に係る衛生洗浄装置を示す斜視図である。
【図２】本発明の一実施の形態に係る衛生洗浄装置を示す平面図である。
【図３】本発明の一実施の形態に係る衛生洗浄装置を示す概念図である。
【図４】本発明の一実施の形態に係る衛生洗浄装置における熱交換ユニットを示す斜視図である。
【図５】本発明の一実施の形態に係る衛生洗浄装置における熱交換ユニットを示す正面図である。
【図６】本発明の一実施の形態に係る衛生洗浄装置における熱交換ユニットを示す平面図である。
【図７】本発明の一実施の形態に係る衛生洗浄装置における熱交換ユニットを背面側から視た斜視図である。
【図８】本発明の一実施の形態に係る衛生洗浄装置の要部を背面側から視た斜視図である。
【図９】本発明の一実施の形態に係る衛生洗浄装置における熱交換ユニットを示す側面図である。
【図１０】本発明の一実施の形態に係る衛生洗浄装置における熱交換ユニットを示す分解斜視図である。
【図１１】本発明の一実施の形態に係る衛生洗浄装置における熱交換ユニットの上部ケース側を示す分解斜視図である。
【図１２】本発明の一実施の形態に係る衛生洗浄装置における貯湯タンクの縦断面図である。
【図１３】本発明の一実施の形態に係る衛生洗浄装置における貯湯タンクの一部を切り欠いて内部を覗かせた説明図である。
【図１４】本発明の一実施の形態に係る衛生洗浄装置における貯湯タンクの一部を切り欠いて内部を覗かせた説明図である。
【図１５】本発明の一実施の形態に係る衛生洗浄装置における熱交換ユニットの下部ケース側を示す分解斜視図である。
【図１６】本発明の一実施の形態に係る衛生洗浄装置における熱交換ユニットの下部ケース側を示す斜視図である。
【図１７】本発明の一実施の形態に係る衛生洗浄装置における貯湯タンクに配設した整流ユニットとその取付部周辺を示す断面図である。
【図１８】本発明の一実施の形態に係る衛生洗浄装置における貯湯タンクの一部を示す底面図である。
【図１９】本発明の一実施の形態に係る衛生洗浄装置のケースカバーに収納された熱交換ユニットの側部を示す斜視図である。
【図２０】本発明の一実施の形態に係る衛生洗浄装置における熱交換ユニットの側部を示す斜視図である。
【図２１】本発明の一実施の形態に係る衛生洗浄装置における貯湯タンクを被覆する断熱材を示す展開図である。
【図２２】本発明の一実施の形態に係る衛生洗浄装置における貯湯タンクを（ａ）正面側及び（ｂ）右側面側から見た場合のタンク内部の止水時における大凡の自然対流方向を概念的に示す説明図である。
【図２３】本発明の一実施の形態に係る衛生洗浄装置における貯湯タンクを（ａ）正面側及び（ｂ）右側面側から見た場合のタンク内部の流入時におけるタンク内部の大凡の給水方向及び自然対流方向を概念的に示す説明図である。
【図２４】本発明の一実施の形態に係る衛生洗浄装置におけるバキュームブレーカーを拡大して示す断面図である。
【図２５】本発明の一実施の形態に係る衛生洗浄装置におけるヒータの取付構造を示す断面図である。
【図２６】本発明の一実施の形態に係る衛生洗浄装置におけるヒータの取付構造を示す分解断面図である。
【図２７】本発明の一実施の形態に係る衛生洗浄装置におけるヒータの取付構造の要部を示す斜視図である。
【図２８】従来の衛生洗浄装置における貯湯タンクを示す側面図である。
【図２９】図２８のＡ−Ａ線断面図である。
【図３０】従来の衛生洗浄装置における貯湯タンクを示す平面図である。
【符号の説明】
１０…衛生洗浄装置
１１…ケースカバー
１１ａ…フック部
１２…洗浄用ノズル
１３…温風ユニット
１４…脱臭ユニット
１５…バルブユニット
２０…熱交換ユニット
２１…貯湯タンク
２１ａ…下部ケース
２１ｂ…上部ケース
２２…給水部
２３…吐水部
２７…取付部
２８…取付用開口部
２９…水切りカバー
２９ａ…ガイド片
３０…バキュームブレーカー
３１…排水芯
３２…主吐水口
３３…オーバーフロー吐水口
３４…温水流出チューブ
３４ａ…続温水流出チューブ
３５…オーバーフローチューブ
４０…整流ユニット
４１…第１空間
４２…第２空間
４３…整流板
４４…連通部
４５…流入部
４６…開口部
５０…ヒータ
５１…端部
５３…連結部
５５…押さえ部材
６０…温度検知手段
６１…支持ブラケット
７０…温度ヒューズ
８０…高温検知手段
８１…金属製ブラケット
９０…中継エルボ
１００…コントローラ
１０１…主操作部
１０２…補助操作部
１１０…水道水供給路
１１０ａ…逆止弁
１１０ｂ…ストレーナ
１１０ｃ…減圧弁
１１１…主電磁弁
１１２…バイパス路
１１２ａ…直動型電磁弁
１１２ｂ…バキュームブレーカー
１１４…リリーフ弁
１１５…真空破壊弁
１１６…流調弁
１１７…切替弁
１２０…フロートスイッチ
１３０…断熱材
１３１…切欠部
１３２…切欠部
１３３…切欠部
１３４…切欠部
１３５…位置決め辺
２００…水抜き部
２０１…ガイド部
２０２…ゴム製弁座
２０３…押え部材
２０４…水抜き弁体
２０５…取付部
２０６…樋部
２０６ａ…落下孔
２０７…水切りリブ
２１１…ネジ止め部
２１１ａ…フランジ部
２１１ｂ…フランジ部
２１２…排水通路
２１３…排水孔
２１５…フック
２１６…フック
２１７…押さえ片
２１９…ハーネス類
２２０…取付孔
【図１】
0004476510.tif 000002
【図２】
0004476510.tif 000003
【図３】
0004476510.tif 000004
【図４】
0004476510.tif 000005
【図５】
0004476510.tif 000006
【図６】
0004476510.tif 000007
【図７】
0004476510.tif 000008
【図８】
0004476510.tif 000009
【図９】
0004476510.tif 000010
【図１０】
0004476510.tif 000011
【図１１】
0004476510.tif 000012
【図１２】
0004476510.tif 000013
【図１３】
0004476510.tif 000014
【図１４】
0004476510.tif 000015
【図１５】
0004476510.tif 000016
【図１６】
0004476510.tif 000017
【図１７】
0004476510.tif 000018
【図１８】
0004476510.tif 000019
【図１９】
0004476510.tif 000020
【図２０】
0004476510.tif 000021
【図２１】
0004476510.tif 000022
【図２２】
0004476510.tif 000023
【図２３】
0004476510.tif 000024
【図２４】
0004476510.tif 000025
【図２５】
0004476510.tif 000026
【図２６】
0004476510.tif 000027
【図２７】
0004476510.tif 000028
【図２８】
0004476510.tif 000029
【図２９】
0004476510.tif 000030
【図３０】
0004476510.tif 000031